(57)【要約】【課題】  安価に製作が可能な構造を有しながら、給水栓の取付方向を任意にかつ簡単に設定することができる給水栓継手を提供する。【解決手段】  給水配管接続用継手部材１２と給水栓接続用継手部材１３とを有し、給水配管接続用継手部材は、一端に給水配管を接続するための配管接続部１４を、他端に給水栓接続用継手部材との連結部１５を有しており、連結部外周には連結用大径部１６が、連結部端面には給水栓の接続側端面が当接する面パッキン１７が設けられ、給水栓接続用継手部材１３は、一端側内周に給水栓螺着用の雌ねじ２１が設けられ、他端側には、前記連結用大径部が回動可能に嵌合する周方向の嵌合凹部２２と、該嵌合凹部に嵌合した連結用大径部の抜止部２３とが設けられるとともに、少なくとも嵌合凹部の外面２４が多角形状に形成されている。【選択図】  図１
2005299317.tif 000002
【特許請求の範囲】
【請求項１】
給水配管と給水栓とを接続するための給水栓継手であって、給水配管接続用継手部材と給水栓接続用継手部材とを有し、給水配管接続用継手部材は、一端に前記給水配管を接続するための配管接続部を、他端に前記給水栓接続用継手部材との連結部を有しており、該連結部外周には連結用大径部が、連結部端面には前記給水栓接続用継手部材に螺着した給水栓の接続側端面が当接する面パッキンが設けられ、前記給水栓接続用継手部材は、一端側内周に給水栓螺着用の雌ねじが設けられ、他端側には、前記連結用大径部が回動可能に嵌合する周方向の嵌合凹部と、該嵌合凹部に嵌合した連結用大径部の抜止部とが設けられるとともに、該嵌合凹部の外面が多角形状に形成されていることを特徴とする給水栓継手。
【発明の詳細な説明】
【技術分野】
【０００１】
本発明は、給水栓継手に関し、詳しくは、給水配管に給水栓を接続固定するための給水栓継手に関する。
【背景技術】
【０００２】
壁内や水栓柱内に配設された給水配管に給水栓を接続する場合、従来は、給水栓の雄ねじ外周にシールテープを巻き付けた状態で、給水配管端部に設けられた雌ねじに給水栓をねじ込んで固定するねじ込み方式が一般的である。このとき、給水栓を所定方向に向けるためには、シールテープを巻き付ける前に給水栓を最後までねじ込み、それから給水栓が所定方向に向くまで逆回転させ、そのときの回転数を覚えておき、シールテープを巻き付けた後に前記回転数だけ給水栓を回転させてねじ込み固定しなければならず、大変な手間がかかる作業であった。また、給水栓継手として、給水栓等をねじ込まなくても簡単に接続することができるワンタッチジョイントも、各種形式、各種構造のものが提案され、使用されている（例えば、特許文献１参照。）。
【特許文献１】特開２０００−５４４４１号公報
【発明の開示】
【発明が解決しようとする課題】
【０００３】
しかし、ワンタッチジョイントは、一般のねじ込み方式に比べて極めて高価であるという問題があり、現在も従来のねじ込み方式が広く採用されているのが実情である。
【０００４】
そこで本発明は、安価に製作が可能な構造を有しながら、給水栓の取付方向を任意にかつ簡単に設定することができる給水栓継手を提供することを目的としている。
【課題を解決するための手段】
【０００５】
上記目的を達成するため、本発明の給水栓継手は、給水配管と給水栓とを接続するための給水栓継手であって、給水配管接続用継手部材と給水栓接続用継手部材とを有し、給水配管接続用継手部材は、一端に前記給水配管を接続するための配管接続部を、他端に前記給水栓接続用継手部材との連結部を有しており、該連結部外周には連結用大径部が、連結部端面には前記給水栓接続用継手部材に螺着した給水栓の接続側端面が当接する面パッキンが設けられ、前記給水栓接続用継手部材は、一端側内周に給水栓螺着用の雌ねじが設けられ、他端側には、前記連結用大径部が回動可能に嵌合する周方向の嵌合凹部と、該嵌合凹部に嵌合した連結用大径部の抜止部とが設けられるとともに、該嵌合凹部の外面が多角形状に形成されていることを特徴とする給水栓継手。
【発明の効果】
【０００６】
本発明の給水栓継手によれば、給水配管に固定されている給水配管接続用継手部材に対して給水栓接続用継手部材を任意に回動させることができるので、給水栓接続用継手部材に螺着される給水栓を所定方向に容易かつ確実に向けることができる。また、給水栓の接続側端面が、給水配管接続用継手部材に設けた面パッキンに圧接することによって十分な水密性を確保できる。
【発明を実施するための最良の形態】
【０００７】
図１及び図２は本発明の給水栓継手の一形態例を示すもので、図１は給水栓継手の断面正面図、図２は図１のII−II断面図である。図３は、本発明の給水栓継手の他の形態例を示す断面正面図、図４は本発明の給水栓継手を介して給水配管に給水栓を接続した状態を示す正面図、図５は給水栓の雄ねじ部を示す要部の断面正面図である。
【０００８】
まず、図４に示すように、給水栓５１は、壁面５２の内部に配設された給水配管５３の端部に、エルボ形状の給水栓継手１１を介して接続固定されるものであって、給水栓５１の接続側は、図５に示すように、フランジ５４から接続側端面５５までの外面に平行ねじからなる雄ねじ５６が形成されている。
【０００９】
図１及び図２に示すように、給水栓継手１１は、前記給水配管５３に接続される給水配管接続用継手部材１２と、前記給水栓５１を接続する給水栓接続用継手部材１３とで形成されている。
【００１０】
給水配管接続用継手部材１２は、一端に給水配管を接続するための配管接続部１４を、他端に給水栓接続用継手部材１３との連結部１５を有しており、連結部１５の外周には、配管接続部１４側に比べて大径に形成された連結用大径部１６が設けられている。また、連結部１５の給水栓接続用継手部材１３側端面には、給水栓５１の接続側端面５５が圧接する面パッキン１７が取り付けられている。この面パッキン１７は、接続側端面５５が圧接して止水性を得るものであるから、ある程度の硬度を有するゴム系材料、例えばシリコンゴム等で形成されたものが望ましい。この給水配管接続用継手部材１２は、金属製外管１８の内周に合成樹脂層１９を設けた防食継手構造としている。
【００１１】
一方、給水栓接続用継手部材１３は、一端側内周に給水栓５１の雄ねじ５６が螺着される雌ねじ２１が設けられるとともに、他端側には、前記連結用大径部１６を回動可能に嵌合する嵌合凹部２２が設けられている。嵌合凹部２２の開口端には、該嵌合凹部２２に嵌合した連結用大径部１６に係合する抜止部２３が設けられており、連結用大径部１６が嵌合凹部２２内に嵌合した状態で軸線を中心にして相互に回動可能に形成されている。また、嵌合凹部２２の外面２４を含めた給水栓接続用継手部材１３の外面は、スパナ等の工具を係合させるための多角形状に形成されている。さらに、連結用大径部１６の外周面と嵌合凹部２２の内周面との間には、止水性能をより向上させるためのＯリング２５が挿入されている。
【００１２】
このように形成された給水配管接続用継手部材１２と給水栓接続用継手部材１３とは、連結用大径部１６を嵌合凹部２２内に圧入等によって嵌合させ、両継手部材１２，１３を回動可能な状態で連結一体化して用いられる。なお、抜止部２３を別体とし、連結用大径部１６を嵌合凹部２２内に挿入した後に抜止部２３を嵌合凹部２２に螺合等の手段で固着することにより連結用大径部１６を抜け止めすることも可能である。また、抜止部２３は全周に設ける必要はなく、連結用大径部１６を抜け止めできるようになっていればよい。
【００１３】
給水栓５１を接続する際には、給水配管接続用継手部材１２の配管接続部１４を給水配管５３の端部に接続した後、給水栓５１の雄ねじ５６を給水栓接続用継手部材１３の雌ねじ２１に螺着し、接続側端面５５を面パッキン１７に圧接させる。雄ねじ５６と雌ねじ２１との螺着は、給水栓５１を所定方向に向けた状態で固定しておき、嵌合凹部外面２４の多角形状部にラチェットスパナ等を係合させて給水栓接続用継手部材１３を回動することによって行うことができる。
【００１４】
このように、給水配管接続用継手部材１２に対して給水栓接続用継手部材１３が回動可能な状態になっているので、給水栓５１を所望の方向に向けて簡単に取り付けることができる。また、給水栓５１の接続側端面５５を面パッキン１７に圧接させているので、十分な止水性を確保することができる。給水栓５１を接続した後の周囲の仕上げは従来と同様にして行うことができる。
【００１５】
図３は、ソケット形状の給水栓継手３１を示すものである。このように、給水配管接続用継手部材１２における配管接続部１４の形状を、従来から用いられている各種継手と同じ形状とすることにより、給水栓継手の全体形状を、ソケット、任意角度のエルボ、チーズ等の形状に形成することができる。なお、図３においては、前記形態例で示した給水栓継手における構成要素と同一の構成要素には、それぞれ同一符号を付して詳細な説明は省略する。
【００１６】
また、本形態例における給水配管接続用継手部材１２は、給水用配管に一般的に用いられている防食構造の樹脂ライニング管に対応させるため、金属製外管１８の内周に合成樹脂層１９を設けた防食継手構造としたが、給水配管接続用継手部材１２の配管接続部１４側の構造は、給水配管５３の材質や形状等に対応して形成すればよい。また、給水栓継手の材質は、金属製であることが好ましいが、合成樹脂、例えば塩化ビニルで形成することも可能であり、給水配管接続用継手部材１２と給水栓接続用継手部材１３とが別の材質であってもよい。給水配管接続用継手部材１２と給水配管５３との接続は、両者の材質に応じて、ねじ結合の他、接着、フランジ、ワンタッチ、融着等の任意の接合構造を採用することができる。
【００１７】
さらに、本形態例では、面パッキン１７を合成樹脂層１９の端面に取り付けているが、一般の金属管や樹脂管に接続するものでは、連結部１５の端面に面パッキン取付部を設ければよく、面パッキン１７を取り付けたリング状部材あるいは面パッキンと一体のリング状部材を連結部１５の端部に嵌合させたり、螺着させたりするようにしてもよい。また、給水栓接続用継手部材１３の外面全体を多角形状にすることなく、嵌合凹部２２の外面２４のみを多角形状としてもよい。さらに、支持を容易に行うため座付きにすることもできる。
【図面の簡単な説明】
【００１８】
【図１】本発明の一形態例を示す給水栓継手の断面正面図である。
【図２】図１のII−II断面図である。
【図３】本発明の給水栓継手の他の形態例を示す断面正面図である。
【図４】本発明の給水栓継手を介して給水配管に給水栓を接続した状態を示す正面図である。
【図５】給水栓の接続側を示す要部の断面正面図である。
【符号の説明】
【００１９】
１１，３１…給水栓継手、１２…給水配管接続用継手部材、１３…給水栓接続用継手部材、１４…配管接続部、１５…連結部、１６…連結用大径部、１７…面パッキン、１８…金属製外管、１９…合成樹脂層、２１…雌ねじ、２２…嵌合凹部、２３…抜止部、２４…外面、２５…Ｏリング、５１…給水栓、５２…壁面、５３…給水配管、５４…フランジ、５５…接続側端面、５６…雄ねじ
【図１】
2005299317.tif 000003
【図２】
2005299317.tif 000004
【図３】
2005299317.tif 000005
【図４】
2005299317.tif 000006
【図５】
2005299317.tif 000007